(57)【要約】      （修正有）【課題】安価で取付け簡便なバルブハンドル固定保持具を提供する。【解決手段】弁軸２２から横方向に伸びたハンドル２３によって弁軸を回して開閉するボールバルブＶ１において、そのバルブの開弁状態を保持するハンドル固定保持具１０１である。弁箱２１にその対向する両側面でもって嵌るコ字状本体と、その本体からハンドル方向に伸びて開弁状態の閉弁方向前側のハンドル２３側面に当接する当て板１４とからなる。透孔にハンドル２３のナット止め部分を入れながら、本体を弁箱２１にその側面から嵌める。この状態は、ハンドル２３の閉弁方向（矢印方向）前側に当て板１４が当たっているため、ハンドル２３を閉弁方向に回すことができない。このため、このボールバルブＶ１の開弁状態が維持されるとともに、何らかの事情によって不用意に閉弁されることもない。【選択図】図２
2017172712.tif 000002
【特許請求の範囲】
【請求項１】
弁軸（２２）から横方向に伸びたハンドル（２３、２３’）によって前記弁軸（２２）を回して開閉するバルブ（Ｖ１、Ｖ２）において、弁箱（２１）にその対向する両側面でもって嵌るコ字状本体と、その本体から前記ハンドル方向に伸びて閉弁状態の開弁方向前側のハンドル（２３、２３’）側面又は開弁状態の閉弁方向前側のハンドル（２３，２３’）側面に当接する当て板（１４）とからなるバルブハンドル固定保持具。
【請求項２】
上記バルブ（Ｖ１、Ｖ２）がバタフライバルブ又はボールバルブであることを特徴とする請求項１に記載のバルブハンドル固定保持具。
【発明の詳細な説明】
【技術分野】
【０００１】
この発明は、バルブ（弁）の誤動作や偶発的な開閉を防止するためのバルブハンドル固定保持具に関するものである。
【背景技術】
【０００２】
例えば、消火用の予作動式スプリンクラー装置では、一次側から二次側に水が供給されていることを検知する流水検知装置が組み込まれ、その装置に警報用圧力スイッチが信号停止バルブを介して付設されている（特許文献５、段落００３８〜００３９、図１等参照）。
その信号停止バルブは、常時、全開状態とされる。このため、何らかの事情により、閉弁状態となったり、半開状態となったりすると、警報用圧力スイッチの適切な動作が得られないこととなる。このため、その全開状態を維持する工夫が必要である。
【０００３】
その全開状態や全閉状態を維持するにはバルブハンドルの回転を阻止すれば（ロックすれば）良い。そのロック治具（バルブハンドル固定保持具）は、従来から種々の物が考案されている。例えば、二又状鈎部でハンドルを挟むと共に、その二又状鈎部を弁箱や配管に嵌め込み係止して、ハンドルの回転をロックしたり（特許文献１、第１、第２図等参照）、ハンドルから弁箱に至るキャップを嵌めてハンドルの回転をロックしたり（特許文献２、第５図、特許文献３第１図等参照）、ハンドルに係止したロック材を金属バンドで弁箱等に固定してハンドルの回転をロックしたりしたものがある（特許文献４、図１〜図６参照）。
【先行技術文献】
【特許文献】
【０００４】
【特許文献１】実開昭５１−１０３７３７号公報
【特許文献２】実開昭５１−１３４８３３号公報
【特許文献３】実開昭５４−３６３８号公報
【特許文献４】ＷＯ２００９／１１９８８７号公報
【特許文献５】特開２００９−１４２６０１号公報
【発明の概要】
【発明が解決しようとする課題】
【０００５】
上記従来の各バルブハンドル固定保持具は、それなりに有効であるが、取付けの簡便性に欠ける。また、部品点数も多く、コスト的にも問題である。近年、安価な製品が望まれる。
【０００６】
この発明は、以上の実状の下、安価で取付け簡便なバルブハンドル固定保持具を提供することを課題とする。
【課題を解決するための手段】
【０００７】
上記課題を達成するため、この発明は、まず、本体をコ字状として弁箱に容易に嵌め得るようにし、つぎに、ハンドルの回転阻止板をその本体から延設するようにしたのである。
この構成であると、下記実施形態のように、一枚の板材でプレス加工などによって容易に製作できるため、安価なものとなる。また、取付けも、本体を弁箱に嵌めるだけですむため、簡便となる。
【０００８】
この発明の具体的な構成としては、弁軸から横方向に伸びたハンドルによって前記弁軸を回して開閉するバルブにおいて、弁箱にその対向する両側面でもって嵌るコ字状本体と、その本体から前記ハンドル方向に伸びて閉弁状態の開弁方向前側のハンドル側面、又は開弁状態の閉弁方向前側のハンドル側面に当接する上記回転阻止板となる当て板とからなる構成を採用することができる。
この構成のバルブハンドル固定保持具は種々の態様のバルブに採用できるが、バタフライバルブ又はボールバルブを採用することが好ましい。
ボールバルブは、バタフライバルブと同様に、弁体の９０度回転によって開閉されるため、９０度回転弁の一種と考えられており、この９０度の正逆転によって開閉するバルブは、通常、その開閉時、ハンドルが弁箱の軸方向（配管方向）に向くように設定できるため、上記当て板も本体の縁から立ち上げて形成し易いからである。すなわち、製作がし易く、安価となる。
【発明の効果】
【０００９】
この発明は、以上のように構成したので、安価な物とすることができるとともに、取付けにおいて簡便な物とし得る。
【図面の簡単な説明】
【００１０】
【図１】この発明に係るバルブハンドル固定保持具の一実施形態を示し、（ａ）は一面からの斜視図、（ｂ）は他面からの斜視図
【図２】同実施形態の使用態様を示し、（ａ）は平面図、（ｂ）は正面図、（ｃ）は右側面図、（ｄ）は背面図
【図３】この発明に係るバルブハンドル固定保持具の他の実施形態を示し、（ａ）は一面からの斜視図、（ｂ）は他面からの斜視図
【図４】同実施形態の使用態様を示し、（ａ）は平面図、（ｂ）は正面図、（ｃ）は右側面図、（ｄ）は背面図
【図５】この発明に係るバルブハンドル固定保持具のさらに他の実施形態を示し、（ａ）は一面からの斜視図、（ｂ）は他面からの斜視図
【図６】同実施形態の使用態様を示し、（ａ）は平面図、（ｂ）は正面図、（ｃ）は右側面図、（ｄ）は左側面図
【発明を実施するための形態】
【００１１】
この発明に係るバルブハンドル固定保持具の一実施形態を図１に示し、この実施形態のバルブハンドル固定保持具１０１は、ＳＵＳ３０４等のステンレス鋼板からなって、本体が、側面視、コ字状を呈し、その下板１１はその先端縁が突条１１ａに湾曲して抜け止めとなっている。上板１２は中程に透孔１３を有して先端縁から当て板１４が立ち上がっている。図中、１５は紐等を通し、その紐等をバルブＶや配管Ｐに括ってこの固定保持具１０１を取り付けるための孔である。
【００１２】
このハンドル固定保持具１０１の大きさ（各板１１，１２、１４の幅、高さ等）は、ハンドル固定保持具１０１を固定する（嵌める）バルブＶに応じて適宜に設定すれば良く、この実施形態では、特許文献５の信号停止バルブとして使用するコック式ボールバルブＶ１に使用するものとした。
このボールバルブＶ１は、図２に示すように、筒状弁箱２１と、その弁箱２１内のボール弁体から立ち上がった弁軸２２と、その弁軸２２の上端にナット止めされた横方向の板棒状ハンドル２３とからなり、配管Ｐに介設されて、ハンドル２３が弁箱２１の軸方向に沿った時（図２の状態）、開弁となる。閉弁時は、ハンドル２３は軸方向に直交する。
【００１３】
この開弁状態のボールバルブＶ１にこの実施形態のバルブハンドル固定保持具１０１を取り付けるには、図２に示すように、透孔１３にハンドル２３のナット止め部分を入れながら、本体を弁箱２１にその側面から嵌める。このとき、ハンドル２３が邪魔になれば、当て板１４及び上下板１１、１２の間のウェブ板を変形させて、当て板１４をハンドル２３の前側、すなわち、閉弁方向（図２（ａ）の矢印方向）前側に位置させる。
この保持具１０１をボールバルブＶ１に取り付けた状態は、ハンドル２３の閉弁方向前側に当て板１４が当たっているため、ハンドル２３を閉弁方向に回すことができない。このため、このボールバルブＶ１の開弁状態が維持されるとともに、何らかの事情によって不用意に閉弁されることもない。
【００１４】
図３には他の実施形態のバルブハンドル固定保持具１０２を示し、この固定保持具１０２は、蝶ハンドル２３’のボールバルブＶ２に適用するものであり、そのバルブＶ２に適用し得るように、その大きさが決定されている。図中、上記と同一符号は同一物を示し、このボールバルブＶ２はハンドル２３’が弁箱２１の軸方向に沿った時（図４の状態）、開弁となり、同軸方向に直交した時、閉弁となる。
【００１５】
この開弁状態のボールバルブＶ２にこの実施形態のバルブハンドル固定保持具１０２を取り付けるには、図４に示すように、上記と同様に、本体を弁箱２１にその側面から嵌め込み、その当て板１４及び上下板１１、１２の間のウェブ板を変形させて、当て板１４をハンドル２３’の前側、すなわち、閉弁方向（図４（ａ）の矢印方向）前側に位置させる。
この保持具１０２をボールバルブＶ２に取り付けた状態は、ハンドル２３’の閉弁方向前側に当て板１４が当たっているため、ハンドル２３’を回すことができない。このため、このボールバルブＶ２の開弁状態が維持されるとともに、何らかの事情によって不用意に閉弁されることもない。
なお、このボールバルブＶ２は、弁軸２２の両側からハンドル２３’が横方向に伸びて保持具１０２の当て板１４に当たっているため、ハンドル２３’（弁軸２２）を回転させることができない。
【００１６】
上記各実施形態のバルブハンドル固定保持具１０１、１０２は、開弁状態のハンドル２３、２３’の回り止めであったが、閉弁状態のハンドル２３、２３’の回り止めの場合は、その閉弁状態において、ハンドル２３、２３’が弁箱２１の軸方向に向くボールバルブＶ１、Ｖ２とする。
また、図１のバルブハンドル固定保持具１０１において、図５に示すように、当て板１４が上板１２の側縁から立ち上がっている構成とすれば、図６に示すように、ボールバルブＶ１の閉弁状態のハンドル状態を固定することができる。なお、図６の矢印反対方向へのハンドル２３の操作によって開弁するボールバルブにあっては、当て板１４を上記上板１２の他方の側縁に立ち上がった構成とする。
さらに、図３のバルブハンドル固定保持具１０２において、同様に、同図鎖線で示す、当て板１４が上板１２の側縁から立ち上がっている構成とすれば、図４で示すボールバルブＶ２の閉弁状態（ハンドル２３’が弁箱２１の軸方向に対し直角に向く状態）におけるハンドル状態を固定することができる。
【００１７】
なお、上記実施形態はボールバルブＶ１、Ｖ２の場合であったが、弁体を９０度の正逆転によって開閉するバルブ、例えば、バタフライバルブ等であれば、この発明は採用し得ることは勿論である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００１８】
Ｖ１、Ｖ２  ボールバルブ
１０１、１０２  バルブハンドル固定保持具
１１  バルブハンドル固定保持具本体の下板
１２  同上板
１３  透孔
１４  当て板
１５  孔
２１  弁箱
２２  弁軸
２３、２３’  ハンドル
【図１】
2017172712.tif 000003
【図２】
2017172712.tif 000004
【図３】
2017172712.tif 000005
【図４】
2017172712.tif 000006
【図５】
2017172712.tif 000007
【図６】
2017172712.tif 000008